【手続補正書】
【提出日】令和2年9月3日(2020.9.3)
【手続補正１】
【補正対象書類名】特許請求の範囲
【補正対象項目名】全文
【補正方法】変更
【補正の内容】
【特許請求の範囲】
【請求項１】
ユーザの体に関する定性的な第１目標の入力を受付ける受付部と、
前記受付部によって受付けられた前記第１目標から、ユーザの体に関する定量的な第２目標を特定する特定部と、
前記特定部によって特定された前記第２目標を提示する提示部とを備え、
前記特定部は、前記第１目標を言語解析した意味に対応する、体に関する少なくとも１つの特徴量についての定量的な目標に、前記第１目標を変換することで、変換された少なくとも１つの目標を含む前記第２目標を特定し、
前記定量的な目標は、前記第１目標を言語解析した意味が複数ある場合、意味ごとの特徴量の値の範囲に含まれる範囲または値である、目標管理システム。
【請求項２】
ユーザの体に関する定性的な第１目標の入力を受付ける受付部と、
前記受付部によって受付けられた前記第１目標から、ユーザの体に関する定量的な第２目標を特定する特定部と、
前記特定部によって特定された前記第２目標を提示する提示部とを備え、
前記特定部は、前記第１目標を言語解析した意味に対応する、体に関する少なくとも１つの特徴量についての定量的な目標に、前記第１目標を変換することで、変換された少なくとも１つの目標を含む前記第２目標を特定し、
前記定量的な目標は、前記第１目標を言語解析した意味に対応する特徴量が複数ある場合において、各特徴量を軸とした多次元空間における意味ごとの特徴量の範囲に重なりがあるときには、重なった範囲に含まれる多次元空間の位置または範囲に対応する各特徴量の値またはその範囲である、目標管理システム。
【請求項３】
制御部と記憶部とを備えたサーバの前記制御部によって実行される目標管理プログラムであって、
前記記憶部は、複数の特徴量の種類を予め記憶し、
端末装置で受付けられたユーザの体に関する定性的な第１目標を受信するステップと、
受信された前記第１目標から、ユーザの体に関する定量的な第２目標を特定するステップと、
特定された前記第２目標を前記端末装置で提示するために前記端末装置に送信するステップとを前記制御部に実行させ、
前記第２目標を特定するステップは、前記第１目標を言語解析した意味に対応する、体に関する少なくとも１つの特徴量についての定量的な目標に、前記第１目標を変換することで、変換された少なくとも１つの目標を含む前記第２目標を特定するステップを含み、
前記定量的な目標は、前記第１目標を言語解析した意味が複数ある場合、意味ごとの特徴量の値の範囲に含まれる範囲または値である、目標管理プログラム。
【請求項４】
制御部と記憶部とを備えたサーバの前記制御部によって実行される目標管理プログラムであって、
前記記憶部は、複数の特徴量の種類を予め記憶し、
端末装置で受付けられたユーザの体に関する定性的な第１目標を受信するステップと、
受信された前記第１目標から、ユーザの体に関する定量的な第２目標を特定するステップと、
特定された前記第２目標を前記端末装置で提示するために前記端末装置に送信するステップとを前記制御部に実行させ、
前記第２目標を特定するステップは、前記第１目標を言語解析した意味に対応する、体に関する少なくとも１つの特徴量についての定量的な目標に、前記第１目標を変換することで、変換された少なくとも１つの目標を含む前記第２目標を特定するステップを含み、
前記定量的な目標は、前記第１目標を言語解析した意味に対応する特徴量が複数ある場合において、各特徴量を軸とした多次元空間における意味ごとの特徴量の範囲に重なりがあるときには、重なった範囲に含まれる多次元空間の位置または範囲に対応する各特徴量の値またはその範囲である、目標管理プログラム。
【手続補正２】
【補正対象書類名】明細書
【補正対象項目名】発明の名称
【補正方法】変更
【補正の内容】
【発明の名称】目標管理システム、および、目標管理プログラム
【手続補正３】
【補正対象書類名】明細書
【補正対象項目名】０００１
【補正方法】変更
【補正の内容】
【０００１】
この開示は、目標管理システム、および、目標管理プログラムに関する。特に、ユーザの体に関する目標を管理するのに適した目標管理システム、および、目標管理プログラムに関する。
【手続補正４】
【補正対象書類名】明細書
【補正対象項目名】０００３
【補正方法】変更
【補正の内容】
【０００３】
【特許文献１】特開２００８−２６２５０４号公報
【手続補正５】
【補正対象書類名】明細書
【補正対象項目名】０００５
【補正方法】変更
【補正の内容】
【０００５】
この開示のある局面における目的は、体に関する定量的な数値の目標の入力を受付けなくても体に関する定量的な目標を示すことが可能な目標管理システム、および、目標管理プログラムを提供することである。
【手続補正６】
【補正対象書類名】明細書
【補正対象項目名】０００７
【補正方法】変更
【補正の内容】
【０００７】
特定部は、第１目標を言語解析した意味に対応する、体に関する少なくとも１つの特徴量についての定量的な目標に、第１目標を変換することで、変換された少なくとも１つの目標を含む第２目標を特定する。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
その定量的な目標は、第１目標を言語解析した意味が複数ある場合、意味ごとの特徴量の値の範囲に含まれる範囲または値である。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
この開示のさらに他の局面に係る目標管理プログラムは、制御部と記憶部とを備えたサーバの制御部によって実行される。記憶部は、複数の特徴量の種類を予め記憶する。目標管理プログラムは、端末装置で受付けられたユーザの体に関する定性的な第１目標を受信するステップと、受信された第１目標から、ユーザの体に関する定量的な第２目標を特定するステップと、特定された第２目標を端末装置で提示するために端末装置に送信するステップとを制御部に実行させる。第２目標を特定するステップは、第１目標を言語解析した意味に対応する、体に関する少なくとも１つの特徴量についての定量的な目標に、前記第１目標を変換することで、変換された少なくとも１つの目標を含む第２目標を特定するステップを含む。
【手続補正１２】
【補正対象書類名】明細書
【補正対象項目名】００１４
【補正方法】変更
【補正の内容】
【００１４】
その定量的な目標は、第１目標を言語解析した意味が複数ある場合、意味ごとの特徴量の値の範囲に含まれる範囲または値である。
【手続補正１３】
【補正対象書類名】明細書
【補正対象項目名】００１５
【補正方法】変更
【補正の内容】
【００１５】
また、その定量的な目標は、第１目標を言語解析した意味に対応する特徴量が複数ある場合において、各特徴量を軸とした多次元空間における意味ごとの特徴量の範囲に重なりがあるときには、重なった範囲に含まれる多次元空間の位置または範囲に対応する各特徴量の値またはその範囲である。
【手続補正１４】
【補正対象書類名】明細書
【補正対象項目名】００１６
【補正方法】変更
【補正の内容】
【００１６】
この開示によれば、体に関する定量的な数値の目標の入力を受付けなくても体に関する定量的な目標を示すことが可能な目標管理システム、および、目標管理プログラムを提供することができる。
【手続補正１５】
【補正対象書類名】明細書
【補正対象項目名】００１９
【補正方法】変更
【補正の内容】
【００１９】
［コンセプト］
「習慣が改善する」ということは、今まで「普通」だと思っていた自分の生活を望ましい状態に変化させ、それ以降はその望ましい生活をこれからの「普通」と認識させることである。習慣の改善を実現するための手順は、以下に示す通りである。（１）「これから」の望ましい普通がどんな状態かを把握する。（２）「今まで」の普通からどんな変化が必要かを理解する。（３）自分にとって負担のない小さな変化を確実に実行する。（４）到達した「これから」の望ましい状態を自分の普通と認識する。
【手続補正１６】
【補正対象書類名】明細書
【補正対象項目名】００３３
【補正方法】変更
【補正の内容】
【００３３】
記憶部１２０は、制御部１１０でプログラムを実行するために必要な作業領域として用いられるＲＡＭ（Random  Access  Memory）と、制御部１１０で実行するためのプログラムを記憶するためのＲＯＭ（Read  Only  Memory）とを含む。また、ＲＡＭには、所定の処理を実行するためのプログラムおよびデータが、操作部１３０、無線通信部１７０または外部記憶装置１５０から読込まれて記憶される。さらに、ＲＡＭの記憶領域を補助するための補助記憶装置として、ハードディスクドライブまたはメモリカードが用いられてもよい。
【手続補正１７】
【補正対象書類名】明細書
【補正対象項目名】００３４
【補正方法】変更
【補正の内容】
【００３４】
外部記憶装置１５０は、メモリカードリーダライタで構成される。外部記憶装置１５０は、制御部１１０から受けた所定のデータまたはプログラムを、メモリカードやＵＳＢ（Universal  Serial  Bus）メモリなどの記録媒体１５１に電気的に記録したり、記録媒体１５１から読出して制御部１１０に受け渡したりする。なお、外部記憶装置１５０は、ハードディスクドライブ、フレキシブルディスクドライブ、ＭＯ（Magneto-Optical  disk）ドライブ、ＣＤ（Compact  Disc）ドライブ、または、ＤＶＤ（Digital  Versatile  Disc）ドライブなどの記憶装置で構成されるようにしてもよい。
【手続補正１８】
【補正対象書類名】明細書
【補正対象項目名】００４４
【補正方法】変更
【補正の内容】
【００４４】
記録媒体２５１としては、ハードディスク，フレキシブルディスクなどの磁気ディスク、ＣＤ−ＲＯＭ（Compact  Disc  Read  Only  Memory），ＣＤ−Ｒ（Compact  Disc  Recordable），ＣＤ−ＲＷ（Compact  Disc  ReWritable），ＤＶＤ−ＲＯＭ（Digital  Versatile  Disc  Read  Only  Memory），ＤＶＤ−Ｒ（Digital  Versatile  Disc  Recordable），ＤＶＤ−ＲＷ（Digital  Versatile  Disc  Rerecordable  Disc），ＤＶＤ−ＲＡＭ（Digital  Versatile  Disc  Random  Access  Memory），ＤＶＤ＋Ｒ，ＤＶＤ＋ＲＷ（Digital  Versatile  Disc  ReWritable），ＢＤ−Ｒ（Blu-ray（登録商標）  Disc  Recordable），ＢＤ―ＲＥ（Blu-ray（登録商標）  Disc  Rewritable），ＢＤ―ＲＯＭ（Blu-ray（登録商標）  Disc  Read  Only  Memory）などの光ディスク、ＭＯなどの光磁気ディスク、メモリカード、または、ＵＳＢメモリなどがある。
【手続補正１９】
【補正対象書類名】明細書
【補正対象項目名】０１１５
【補正方法】変更
【補正の内容】
【０１１５】
次に、制御部２１０は、取得した当該ユーザ１０の現状の指標の値と、現在の当該ユーザ１０の目標ルートの指標の値とを比較して、当該ユーザ１０の現状の指標の値が、−σ〜σの「理想範囲」であるか、−２σ〜−σまたはσ〜２σの「許容範囲」であるか、−３σ〜−２σまたは２σ〜３σの「限度範囲」であるか、−３σ未満または３σ超の「失敗範囲」であるかの乖離度を判定することによって、当該ユーザ１０の目標管理の進捗度を判定する（ステップＳ１４７）。具体的には、乖離度が「理想範囲」、「許容範囲」および「限度範囲」であると判定した場合、それぞれ、進捗度が「優」、「良」および「可」であると判定する。
【手続補正２０】
【補正対象書類名】明細書
【補正対象項目名】０１１６
【補正方法】変更
【補正の内容】
【０１１６】
なお、乖離度は、このような「許容範囲」、「限度範囲」および「失敗範囲」といった段階的なものに限定されず、当該ユーザ１０の現状の指標の値と、現在の当該ユーザ１０の目標ルートの指標の値との乖離を示す度合いであれば、他の度合いであってもよく、たとえば、当該ユーザ１０の現状の指標の値と、現在の当該ユーザ１０の目標ルートの指標の値との差の値であってもよいし、現在の当該ユーザ１０の目標ルートの指標の値に対する当該ユーザ１０の現状の指標の値の比率であってもよい。
【手続補正２１】
【補正対象書類名】明細書
【補正対象項目名】０１７５
【補正方法】変更
【補正の内容】
【０１７５】
（１−３）  図１５のステップＳ１１２からステップＳ１１７で示したように、制御部２１０は、第１目標を言語解析した意味に対応する少なくとも１つの特徴量についての定量的な目標に、第１目標を変換する。これにより、第１目標の意味に対応する特徴量についての定量的な目標を示すことができる。
【手続補正２２】
【補正対象書類名】明細書
【補正対象項目名】０２０２
【補正方法】変更
【補正の内容】
【０２０２】
１０，２０，３０  ユーザ、１００，１００Ａ，１００Ｂ，１００Ｃ  情報通信端末、１１０，２１０，５１０  制御部、１２０，２２０，５２０  記憶部、１３０，５３０  操作部、１４０，５４０  出力部、１５０，２５０  外部記憶装置、１５１，２５１  記録媒体、１７０，５７０  無線通信部、２００，３００  サーバ、２６０  通信部、５００  測定装置、５８０  測定部、８００，８００Ａ，８００Ｂ  通信設備、９００  通信ネットワーク。